(57)【要約】　　【課題】　球皿内に供給したパチンコ球をスムーズに出口側に流下させることができるようにする。　　【解決手段】　パチンコ機の前面に球皿１５の前皿部１７を設け、この前皿部１７の底面１７ａを左方向に下り傾斜させて、前皿部１７内のパチンコ球を左側の球皿出口２２側（球発射装置１３側）に向かって流下させる。更に、球皿１５の前皿部１７には、球導入路２６を球皿出口２２の上方部から前皿部１７の上流側（右側）に向かって下り傾斜するように一体に形成する。パチンコ機の左側方に配置された台間球貸機２９の貸球排出ノズル３０から排出された貸球は、球皿出口２２の上方で球導入路２６内に流入した後、球導入路２６の下り傾斜によって一旦、前皿部１７の上流側（右側）に流下し、そこから前皿部１７の下り傾斜によって球皿出口２２に向かって左側に流下する。　　【選択図】　図１
2004008816.tif 000002
【特許請求の範囲】
【請求項１】
　パチンコ球を球皿内に受け入れ、そのパチンコ球を球皿底面の下り傾斜によって球皿出口に向かって流下させるパチンコ機において、
　前記球皿内に供給されるパチンコ球を前記球皿出口側で受け入れて前記球皿の上流側に導く球導入路を備えていることを特徴とするパチンコ機。
【請求項２】
　前記球導入路は、前記球皿にその上流側に向けて下り傾斜するように形成されていることを特徴とする請求項１に記載のパチンコ機。
【請求項３】
　前記球導入路は、前記球皿とは別個に設けられ、前記球皿上方のガラス枠に取り付けられていることを特徴とする請求項１又は２に記載のパチンコ機。
【発明の詳細な説明】
【技術分野】
【０００１】
　本発明は、球皿内に供給したパチンコ球の流れを良くするパチンコ機に関するものである。
【背景技術】
【０００２】
　従来の一般的なパチンコ機は、パチンコ機の右下側部に設けられた球発射装置からパチンコ球を発射するようにしているため、球皿の底面を右方向に下り傾斜させて、球皿内のパチンコ球を右側の球皿出口側（球発射装置側）に向かって右方向に１列に整列させて流下させるようにしている。このため、パチンコホールでは、各パチンコ機の左側方に設置した台間球貸機の貸球排出ノズルを球皿の左隅の最上流部まで届くような構造にして、台間球貸機の貸球排出ノズルから球皿の左隅に貸球を供給するようにしている。
【０００３】
　一方、近年、左側発射タイプ、つまり、パチンコ機の左下側部に設けられた球発射装置からパチンコ球をほぼ垂直上方に発射するようにしたパチンコ機も開発されている。この左側発射タイプでは、球皿の底面を左方向に下り傾斜させて、球皿内のパチンコ球を左側の球発射装置側に向かって左方向に１列に整列させて流下させるようにしている。
【０００４】
　しかし、前述したように、パチンコホールでは、従来からの主流である右側発射タイプのパチンコ機に合わせて、現状の台間球貸機は、球皿の左隅の最上流部に貸球を供給する仕様になっている。このような台間球貸機をそのまま左側発射タイプのパチンコ機に利用すると、左側の台間球貸機の貸球排出ノズルの出口が球皿の左隅の狭くなった出口付近までしか届かないため、左側の台間球貸機からの貸球を球皿内に受け入れることができず、貸球がこぼれ出してしまう。また、仮に、左側の台間球貸機からの貸球を球皿内に受け入れることができたとしても、貸球が球皿出口付近に落ちるため、球皿出口付近のパチンコ球の流れが非常に悪くなって、球詰りが発生してしまう。
【０００５】
　そこで、左側発射タイプのパチンコ機に対しては、台間球貸機の貸球排出ノズルを球皿の右隅の最上流部に届くように延長し、貸球を球皿の最上流部に供給できるように改造することが考えられるが、このように改造すると、今度は、右側発射タイプのパチンコ機に合わなくなってしまう。従って、パチンコ機の新台入れ替え毎に発射タイプに合わせて台間球貸機の貸球排出ノズルまでも交換しなければならず、新台入れ替えのコストが高くなってしまうという欠点がある。
【発明の開示】
【発明が解決しようとする課題】
【０００６】
　本発明は上述した様々な事情を考慮してなされたものであり、従ってその目的は、球皿内に供給されたパチンコ球を球詰りさせることなくスムーズに出口側に流下させることができるパチンコ機を提供することにある。
【課題を解決するための手段】
【０００７】
　上記目的を達成するために、本発明の請求項１のパチンコ機は、球皿内に供給されるパチンコ球を球皿出口側で受け入れて球皿の上流側に導く球導入路を設けた構成としたものである。この構成では、球皿出口側にパチンコ球を供給しても、そのパチンコ球は、球導入路を通って一旦、球皿の上流側に導かれ、そこから球皿底面の下り傾斜によって順次、球皿出口に向かって流下していく。このため、球皿内に供給されたパチンコ球を球詰りさせることなくスムーズに球皿出口側に流下させることができる。
【０００８】
　この場合、請求項２のように、球導入路を球皿の上流側に向けて下り傾斜するように形成すると良い。このようにすれば、球皿内に供給されたパチンコ球を、球導入路の下り傾斜によって球皿の上流側に自然に流下させることができる。
【０００９】
　また、請求項３のように、球導入路を、球皿とは別個に設け、球皿上方のガラス枠に取り付けるようにしても良い。このようにすれば、球皿を改造する必要がないので、従来機種に対しても、簡単に球導入路を追加することができる。
【発明を実施するための最良の形態】
【００１０】
［実施形態（１）］
　以下、本発明を左側発射タイプのパチンコ機に適用した実施形態（１）を図１乃至３に基づいて説明する。
【００１１】
　まず、図１に基づいてパチンコ機全体の概略構成を説明する。パチンコ機の機枠１１に遊技盤１２が取り付けられ、この遊技盤１２の盤面に、入賞口や入賞装置（ともに図示せず）等が設けられている。そして、パチンコ機の左側下部に、球発射装置１３が設けられ、この球発射装置１３からほぼ垂直上向きに発射されたパチンコ球が遊技盤１２に打ち出される。また、機枠１１の前面下部には、前面パネル１４が設けられ、この前面パネル１４には、１皿化された大容量の球皿１５が設けられている。この球皿１５の右側に、球発射装置１３の操作ハンドル１６が設けられている。また、パチンコ機の左側方に配置された台間球貸機２９の貸球排出ノズル３０の出口が、球皿１５の左隅上方に位置している。
【００１２】
　図２に示すように、球皿１５は前面パネル１４から前方に突出した前皿部１７と、前面パネル１４よりパチンコ機後部側に広がる後皿部１８とから構成されている。後皿部１８には、前皿部１７に通じる連通口１９（図１参照）が設けられている。これにより、後皿部１８の例えば後部上方に設けられた賞球排出口（図示せず）から排出される賞球が、後皿部１８内に流入した後に、後皿部１８から連通口１９を通って前皿部１７の上流側（右側）に転動するようになっている。
【００１３】
　前皿部１７は、左側部分の流路が下流に向かうにつれて狭められていると共に、底面１７ａが左方に向かって下り傾斜するように形成され（図３参照）、パチンコ球が、整列しながら案内流路２１に流下して左側の球皿出口２２（球発射装置１３側）に向かうようになっている。また、図２に示すように、前皿部１７の底面１７ａの中央部に形成された球抜き穴２３に、球抜き部材２４が設けられ、球皿１５前面に設けられた操作レバー２５（図１参照）を横方向に移動させることで、球皿１５内のパチンコ球を球抜き穴２３から下方に抜き取ることができるようになっている。
【００１４】
　更に、球皿１５には、球導入路２６が球皿出口２２の上方部から球皿１５の前面部に沿って前皿部１７の上流側（右側）に延びるように一体形成されている。この球導入路２６の左側部には、貸球排出ノズル３０から排出される貸球を受ける球受け部２７が形成され、該球導入路２６の底面が前皿部１７の上流側（右側）に向かって下り傾斜するように形成され、貸球が前皿部１７とは反対方向に流下するようなっている。
【００１５】
　以上のように構成したパチンコ機では、台間球貸機２９にコインを投入すると、台間球貸機２９の貸球排出ノズル３０からパチンコ球が貸球として排出される。この貸球は、球皿出口２２の上方で球導入路２６の球受け部２７で受けられた後、球導入路２６の底面の下り傾斜によって一旦、前皿部１７の上流側に流下し、そこから前皿部１７の底面１７ａの下り傾斜によって順次、球皿出口２２に向かって流下していく。このため、台間球貸機２９の貸球排出ノズル３０から球皿出口２２側に貸球を供給しても、球皿１５内のパチンコ球を球詰りすることなくスムーズに流下させることができる。これにより、左側発射タイプのパチンコ機でありながら右側発射タイプと共通の台間球貸機２９を使用することが可能となり、左側発射タイプのパチンコ機の新台入れ替えのコストを低減することができる。
【００１６】
［実施形態（２）］
　次に図４及び図５を用いて本発明の実施形態（２）を説明する。
　上記実施形態（１）では、球導入路２６を球皿１５に一体に形成するようにしたが、本実施形態（２）では、球導入路３１を球皿１５とは別個に設けるようにしている。球導入路３１の後面には、金属板等で形成された係止片（図示せず）が固定され、この係止片を球皿１５上方のガラス枠３２に係止させることで、球導入路３１がガラス枠３２に取り付けられている。
【００１７】
　この球導入路３１は、球皿出口２２の上方部から前皿部１７の上流側上方まで延びるように形成され、左側部の球受け部３３から右側部の球流出口３４に向かって、球導入路３１の底面が下り傾斜するように形成されている。これにより、台間球貸機２９の貸球排出ノズル３０から排出される貸球は、球導入路３１の下り傾斜によって球導入路３１内を右方に向かって流下した後、球流出口３４から前皿部１７の上流側に落下し、その後は、前皿部１７の底面１７ａの下り傾斜によって球皿出口２２に向かって左方向に流下していく。
【００１８】
　以上説明した実施形態（２）では、球導入路３１を、球皿１５とは別個に設けて球皿１５上方のガラス枠３２に取り付けるようにしたので、球導入路３１を設けるのに球皿１５を改造する必要がなく、簡単に球導入路３１を追加することができる。また、台間球貸機２９から貸球が供給されるパチンコ機（現金機）では、球導入路３１を取り付けた構成とし、パチンコ機内部の球排出装置から貸球が供給されるＣＲ機では、球導入路３１を取り付けない構成とすれば、現金機とＣＲ機との間で球皿１５を共通化することができ、低コスト化することができる。
【００１９】
［実施形態（３）］
　前記実施形態（１）では、球皿１５を前皿部１７の右側部分（上流側）が前方に広がるように形成しているため、前皿部１７の右側部分でもパチンコ球を受け入れることができる。
【００２０】
　そこで、本実施形態（３）では、図６に示すように、台間球貸機２９の貸球排出ノズル３０を、台間球貸機２９の左右両隣に設置されたパチンコ機のうちの右側のパチンコ機の球導入路２６の球受け部２７と左側のパチンコ機の前皿部１７上流側との間をほぼ１８０°回動できるように構成している。この場合、貸球排出ノズル３０を右側のパチンコ機側に回動した時は、右側のパチンコ機の球導入路２６の球受け部２７に貸球が排出され、貸球排出ノズル３０を左側のパチンコ機側に回動した時は、左側のパチンコ機の前皿部１７上流側に貸球が排出される。
【００２１】
　以上説明した実施形態（３）では、図６に示すように、各パチンコ機の左右両側に台間球貸機２９が設置されている場合は、左右いずれの側の台間球貸機２９からでも貸球を球皿１５内に供給することができ、使い勝手が極めて良くなる。また、１台の台間球貸機２９から貸球を左右いずれの側のパチンコ機の球皿１５にも供給できるため、図７に示すように、台間球貸機２９をパチンコ機の１台おきに配置することが可能となり、パチンコホールの島設備の台間球貸機２９の数を半減させることができて、島設備のコストを大幅に低減することができる。
【００２２】
　また、前記実施形態（２）においても、前皿部１７の右側部分でパチンコ球を受け入れることができるので、台間球貸機２９の貸球排出ノズル３０を、右側のパチンコ機の球導入路３１の球受け部３３と左側のパチンコ機の前皿部１７上流側との間を回動できるようにすれば、同様の効果を得ることができる。
【００２３】
　尚、上記各実施形態（１）〜（３）では、本発明を左側発射タイプのパチンコ機に適用したが、右側発射タイプのパチンコ機に適用しても良い。また、球皿１５も１皿化されたものに限定されず、従来の上皿に本発明を適用しても良い。
【図面の簡単な説明】
【００２４】
【図１】本発明の実施形態（１）を示すパチンコ機の正面図である。
【図２】実施形態（１）の球皿及びその周辺要部の平面図である。
【図３】実施形態（１）の球皿の縦断正面図である。
【図４】本発明の実施形態（２）を示すパチンコ機の正面図である。
【図５】実施形態（２）の球皿及びその周辺要部の平面図である。
【図６】本発明の実施形態（３）を示すもので、各パチンコ機の左右両側に台間球貸機を設置した場合のパチンコ島の正面図である。
【図７】本発明の実施形態（３）を示すもので、台間球貸機をパチンコ機の１台おきに配置した場合のパチンコ島の正面図である。
【符号の説明】
【００２５】
　１１…機枠、１３…球発射装置、１５…球皿、１７…前皿部、１８…後皿部、２２…球皿出口、２６…球導入路、２７…球受け部、２９…台間球貸機、３０…貸球排出ノズル、３１…球導入路、３２…ガラス枠、３３…球受け部、３４…球流出口。
【図１】
2004008816.tif 000003
【図２】
2004008816.tif 000004
【図３】
2004008816.tif 000005
【図４】
2004008816.tif 000006
【図５】
2004008816.tif 000007
【図６】
2004008816.tif 000008
【図７】
2004008816.tif 000009